(57)【特許請求の範囲】
【請求項１】
右フレーム、左フレーム及び前記右フレームの左端部と前記左フレームの右端部を連結する継手とからなる屈曲フレームであって、前記継手において折れ曲がり可能に構成した複数の前記屈曲フレームを有するものとし、
前記右フレームの右端部及び前記左フレームの左端部を、それぞれ吊部により回転可能に保持し、１本の前記屈曲フレームを保持する２個の前記吊部の内少なくとも片方は走行吊部とし、前記走行吊部はいずれも同一のレールを走行するよう構成したことを特徴とするタオル等の掛け具。
【請求項２】
請求項１に記載した掛け具であって、走行吊部が移動しないようレールに固定するための、吊部固定具を設けたことを特徴とするタオル等の掛け具。
【請求項３】
請求項１又は請求項２のいずれかに記載した掛け具であって、吊部に上支柱を取り付け、前記上支柱に下支柱を上下位置を調節可能に取り付け、前記下支柱に屈曲フレームを取り付けたことを特徴とするタオル等の掛け具。
【請求項４】
請求項１〜請求項３のいずれかに記載した掛け具であって、隣り合う走行吊部であって異なる屈曲フレームを保持する走行吊部の間を、連結して構成したことを特徴とするタオル等の掛け具。
【発明の詳細な説明】
【技術分野】
【０００１】
本発明はタオル、ハンカチ、手ぬぐい、布巾など（以下単に「タオル等」という。）を振り分けて掛けるための掛け具に関するものである。
【背景技術】
【０００２】
家族がそれぞれ個人用のタオル等を使用したい場合には、従来のタオル掛けに複数のタオル等を重ねて掛ける方法があった。複数のタオル等を重ねて掛けた場合は、拭き取った水分の蒸発が阻害され、タオル等が容易に乾燥しない問題があった。また自分用のタオル等を取り出すのに手間と時間がかかり煩雑であった。
また従来のタオル掛けに複数本のタオル等を、互いに重ならないように掛けることも可能であるが、１枚当たりのタオル等を掛ける幅が狭くなるためしわが寄ってしまい、拭き取った水分が容易に蒸発せずタオル等がなかなか乾燥しない問題と、しわの寄ったタオル等が並んだ様子は見栄えが悪くなる問題があった。
重ねたりしわを寄せることなく、複数のタオル等を並べて掛けるためには、長大なタオル掛けや複数本並んだタオル掛けを設ける必要があるが、限られた幅と奥行きしかなくスペースが限定された場所に、長大なタオル掛けや複数本並んだタオル掛けを取り付けることはできない問題があった。
【０００３】
タオル掛けに関する従来の発明としては、バー状のタオル掛けをスライド扉に取り付ける発明（例えば特許文献１参照。）が提案されていた。またキッチン用フロアキャビネットにスライド部材を取り付け、スライド部材にタオル掛けを取り付ける発明（例えば特許文献２参照。）が提案されていた。
しかしこれらの発明は、いずれも１枚のタオル等を掛ける機能を有するタオル掛けについての発明である。そこで、これらの発明を改良してタオル等を掛けるフレームを複数本取り付けることを検討してみた。
しかし、スライド方向に平行にタオル等を掛けるフレームを取り付け、かつタオル等が重ならないように構成するためには、スライド方向に長大なスペースが必要となる問題があった。
一方、スライド方向に直角にして、タオル等を掛けるフレームを複数本取り付けようとすると、フレームの長さがタオル等の幅以上になるため、スライド方向に直角な方向に大きなスペースが必要となる問題があった。
またタオル等を掛けたり外したりする場合や、タオル等を掛けた状態のまま手を拭いたり顔を拭く場合などは、使用する人の正面にタオル等の面が正対することが望ましい。
さらに、タオル等を掛けるフレームの高さについて、子供の成長に合わせて高さを調節可能な掛け具とすれば、自分でタオル等を取り替えて使用する習慣を、幼い頃から子供に身につけさせることが可能になる。
【特許文献１】特開平  ８−３８３８７号公報
【特許文献２】特開２００６−２１２１９０号公報
【発明の開示】
【発明が解決しようとする課題】
【０００４】
家族がそれぞれ個人用のタオル等を使用したい場合に、複数のタオル等を互いに重ねず、かつ、しわを寄せずに個別に掛けることのできる掛け具であって、小さなスペースに収まり、見栄えよく掛けることが可能なタオル等の掛け具を提供することにある。
またタオル等を使用する者が簡単な操作で、使用しようとするタオル等を掛けたフレームを収納した状態から使用する状態にすることが可能であって、タオル等の面に正対して使用することを可能にしたタオル等の掛け具を提供することにある。
さらにタオル等を掛けるフレームの高さについて、子供の成長に合わせて高さを調節可能なタオル等の掛け具を提供することにより、自分でタオル等を取り替えて使用する習慣を、幼い頃から子供に身につけさせることを可能にすることにある。
【課題を解決するための手段】
【０００５】
２本のフレームの端部を継手で連結して、中央で折れ曲がり可能な屈曲フレームとし、屈曲フレームにタオル等を振り分けて掛ける構成にする。
そして屈曲フレームを複数本設け、各屈曲フレームの端部をそれぞれ吊部により回転可能に保持する。そして１本の屈曲フレームを保持する２個の吊部の内の少なくとも片方は走行吊部とし、全ての走行吊部は同一のレールを走行するよう構成する。
また走行吊部に吊部固定具を設け、必要に応じて走行吊部をレールに対して移動しないよう固定することを可能にする。
また吊部に上支柱を取り付け、上支柱に下支柱を上下位置を調節可能に取り付け、下支柱に屈曲フレームを取り付ける構成にして、家族が増えたときなどに必要に応じて屈曲フレームを取り付け可能にする。
さらに隣り合う走行吊部であって、互いに異なる屈曲フレームを保持する走行吊部同士を連結可能にする。
【発明の効果】
【０００６】
複数のタオル等を互いに重ねず、かつ、しわを寄せずに個別に掛けることが可能であって、小さなスペースに収まり、見栄えよく掛けることが可能なタオル等の掛け具を提供することができた。
また使用する者が簡単な操作で、収納した状態から使用する状態にすることが可能な掛け具であって、タオル等の面に正対した状態で使用することを可能にした、タオル等の掛け具を提供することができた。
さらにタオル等を掛けるフレームの高さについて、子供の成長に合わせて高さを調節可能なタオル等の掛け具を提供したので、自分でタオル等を取り替えて使用する習慣を、幼い頃から子供に身につけさせることが可能になった。
【発明を実施するための最良の形態】
【０００７】
右フレーム、左フレーム及び右フレームの左端部と左フレームの右端部を連結する継手とからなる屈曲フレームであって、継手において折れ曲がり可能に構成した複数の屈曲フレームを有するものとする。
継手として、ピンを中心に右フレームと左フレームを垂直軸回りに回転可能に連結するピン継手の構成や、布、皮革、ゴム、バネ、軟質合成樹脂などの屈曲容易な部材を使用して右フレームと左フレームを連結し、水平面内において折れ曲がり可能にする構成などがありいずれも好ましい。
さらに右フレームの右端部及び左フレームの左端部を、それぞれ吊部により垂直軸回りに回転可能に保持する。このとき１本の屈曲フレームを保持する２個の吊部の内少なくとも片方は走行吊部とし、車輪やリニア軸受けや滑りやすい材料などを用いてレールを走行可能に構成する。
このように構成すると、２個の吊部が互いに離れた位置にあるときは、右フレームと左フレームの間の角度が大きくなって鈍角となり、屈曲フレームに掛けたタオル等の面は使用者に概略正対する状態（以下単に「使用状態」という。）になり、２個の吊部が互いに近づくにつれて右フレームと左フレームの間の角度が小さくなり、屈曲フレームに掛けたタオル等は平面視において鋭角のＶ字状に折れ曲がった形状（以下単に「収納状態」という。）になってコンパクトに収まる。
さらに走行吊部を取り付けるレールを水平に設け、全ての走行吊部が同一のレールを走行するよう構成したタオル等の掛け具とする。このような構成にすれば、隣り合う屈曲フレームに掛けたタオル同士が接触することを防ぎつつ、小さなスペースの中に複数のタオル等を掛けることが可能になるからである。
【０００８】
上記した掛け具であって、走行吊部が移動しないようレールに固定するための、吊部固定具を設けた掛け具とする。
タオル等を使用するときに走行吊部が動いて煩わしい場合に、必要に応じて吊部固定具により走行吊部をレールに固定するためである。吊部固定具としては、バネで部材を押しつけて固定するようにして、走行させるときに指でバネを押し返す構成や、ボルトやナットを押しつけて走行吊部を固定する構成などあり、いずれも好ましい。
また上記した掛け具であって、吊部に上支柱を取り付け、上支柱に下支柱を上下位置を調節可能に取り付け、下支柱に屈曲フレームを取り付けたタオル等の掛け具とする。
上支柱に下支柱を抜き差し可能に取り付け、下支柱を上支柱に固定する支柱固定具を設ける構成にすることが好ましい。支柱固定具としては、偏芯軸を回転させることにより下支柱を上支柱に押しつける構成や、下支柱と上支柱を貫通させてピンを差し込む構成や、上支柱の外からボルトを差し込み、ネジを利用してボルトを下支柱に押しつける構成などあり、いずれでも構わない。
タオル等を掛けるフレームの高さについて、子供の成長に合わせて高さを調節可能な掛け具とすることにより、自分でタオル等を取り替えて使用する習慣を、幼い頃から子供に身につけさせることを可能にするためである。
さらに上記した掛け具であって、隣り合う走行吊部であって異なる屈曲フレームを保持する走行吊部の間を、連結して構成したタオル等の掛け具とする。
走行吊部を連結する構成には、チェーンや紐などで繋ぐ方法や連結ピンやクリップなどを使用する方法などがありいずれでも構わない。また隣り合う２個の吊部を同一の走行部に取り付ける構成も好ましい。
このように構成することにより、使用しようとする屈曲フレームが収納状態のときに、使用状態にある隣の屈曲フレームを収納状態にするよう走行吊部を移動させると、隣の屈曲フレームの走行吊部と連結した、使用しようとする屈曲フレームの走行吊部も一緒に移動するため、使用しようとする屈曲フレームが自動的に使用状態になって便利である。
【実施例１】
【０００９】
本発明の実施例１を図１〜図５に示して説明する。実施例１の掛け具１はレール５ａと支持ベース５ｂとで支持フレームを構成し、レール５ａを水平にして壁１６に取り付け、レール５ａを走行する６個の走行吊部６と、走行吊部６に取り付けた３本の屈曲フレーム３とからなるものとした。
走行吊部６は台ベース１１と４個の車輪１５を有するものとし、レール５ａの中を走行可能に構成した。台ベース１１には垂直に吊下軸１２を取り付け、吊下軸１２の上ネジ部１２ａに固定ナット１４を取り付けて吊部固定具とした。また軸部１２ｂにフレーム台７を差し込んだ後に、平座金１２ｄを挟んで下ネジ部１２ｃに取付ナット１２ｅをねじ込むことにより、吊下軸１２を中心としてフレーム台７を回転自由に取り付けた。またフレーム台７には窪み７ｅを設けて取付ナット１２ｅと下ネジ部１２ｃを窪み７ｅに沈めた。
屈曲フレーム３は、右フレーム３ｄの左端部と左フレーム３ｆの右端部をピン継手３ｅにより連結した構成とした。そして右フレーム３ｄと左フレーム３ｆの間の角度を開いて鈍角にして、平面視において中央で折れ曲がった形状である、図１の屈曲フレーム３Ａの状態を使用状態とした。また右フレーム３ｄと左フレーム３ｆの間の角度を小さくして、平面視において鋭角の概略Ｖ字状に折れ曲がった、図１の屈曲フレーム３Ｂ、３Ｃの状態を収納状態とした。
また、右フレーム３ｄの右端部と左フレーム３ｆの左端部に、それぞれ基凸部３ｇと基凹部３ｈを設け、フレーム台７の横凹部７ｂに基凸部３ｇを横凸部７ａに基凹部３ｈをそれぞれ挿入して、屈曲フレーム３の両端を２個のフレーム台７でそれぞれ保持した。  
フレーム台７には下凸部７ｃと下凹部７ｄを設け、下凹部７ｄに上支柱８の上凸部８ａを下凸部７ｃに上支柱８の上凹部８ｂを、それぞれ挿入することにより２個の走行吊部６の下にそれぞれ上支柱８を取り付けた。
そして上支柱８の中に下側から下支柱１０を挿入出可能に取り付け、止めネジ８ｃをねじ込むことにより、上支柱８に対して任意の位置で下支柱１０を固定する構成とした。
また下支柱１０には横凸部１０ａと横凹部１０ｂを設け、横凹部１０ｂに基凸部３ｇを横凸部１０ａに基凹部３ｈをそれぞれ挿入しすることにより、屈曲フレーム３Ｊの両端をを２本の下支柱１０でそれぞれ保持した。
【００１０】
実施例１の掛け具１は、４人の家族がそれぞれ個別のタオルを掛けて使用する構成の掛け具１である。使用者はタオルを二つ折りにして片方をレール５ａ側に他方を反レール５ａ側に振り分け、使用状態の屈曲フレーム３にそれぞれ１枚のタオルを掛ける。
図１の屈曲フレーム３Ａ、３Ｊは使用状態であるが、掛けたタオルの面が使用者に概略正対しているので、容易にタオルを掛けたり外したりすることができ、タオルを掛けた状態のまま手を拭いたり顔を拭くことが可能である。
また図１の屈曲フレーム３Ｂ、３Ｃは収納状態であるが、予め使用状態において掛けたタオルは収納状態にしてもしわが寄ることがなく、拭き取った水分は容易に蒸発してタオルは早期に乾燥し、見栄えもよい。
収納状態の屈曲フレーム３Ｂ（又は３Ｃ）に掛けたタオルを使用する場合は、屈曲フレーム３Ｂ（又は３Ｃ）の右フレーム３ｄと左フレーム３ｆの間に手を入れて、右フレーム３ｄと左フレーム３ｆの間の角度を開く方向に押せば、走行吊部６が他の走行吊部６を押しながらレール５ａを走行し、屈曲フレーム３Ｂ（又は３Ｃ）は使用状態になり他の屈曲フレーム３は収納状態になる。タオルを使用するときなどに、走行吊部６が動くのが煩わしく静止させたい場合は、固定ナット１４を回転させてレール５ａの下面に押し当てて固定する。
一番右には屈曲フレーム３Ａ、３Ｊが２段に設置してあり、下段の屈曲フレーム３Ｊの高さは上下調節可能である。このため子供が幼い頃から自分でタオルを掛け、自分で手を拭いたり顔を拭くようしつけることが可能である。さらに子供の成長に合わせて段々高い位置に屈曲フレーム３Ｊを調節することが可能である。
実施例１では屈曲フレーム３を４個取り付けたが、家族が増えた場合は他の走行吊部６に上支柱８、下支柱１０及び屈曲フレーム３を取り付けることにより、合計６人の家族まで個別のタオルを別々に掛けて使用することが可能である。
【実施例２】
【００１１】
他の実施例２を図６及び図７に示し説明する。実施例２の掛け具２は実施例１の掛け具１に対して、屈曲フレーム３を屈曲フレーム４にしたことと、一番右の吊部と一番左の吊部を、走行吊部６ではなく固定吊部１７としたこと、レール５ａより少し短いレール５ｃを取り付けたこと、一部の走行吊部６同士を連結したこと、及び屈曲フレーム４を４本でなく３本取り付けた点などで異なる、重複した記載を避けて実施例１と異なる点について記載する。
屈曲フレーム４は、右フレーム４ｄの左端部をなめらかにレール５ｃ側に折り曲げ、左フレーム４ｆの右端部もなめらかにレール５ｃ側に折り曲げ、両方の端部をヒンジとしてピン継手４ｅにより連結した。そして右フレーム４ｄと左フレーム４ｆの間の角度を開いて鈍角にした、図６の屈曲フレーム４Ａの状態を使用状態とした。また右フレーム４ｄと左フレーム４ｆの間の角度を小さくして、屈曲フレーム４が概略の鋭角のＶ字状に折れ曲がった、図６の屈曲フレーム４Ｂ、４Ｃの状態を収納状態とした。
また、固定吊部１７は支持ベース５ｂの下面に垂直軸を中心として回転自由に取り付けたものとした。回転吊部１７は、レール５ｃを走行しない点で走行吊部６と異なるが、屈曲フレーム４を取り付けるための横凹部と横凸部を有すること、及び上支柱８を取り付けるための下凸部と下凹部を有する点は走行吊部６と同じである。
屈曲フレーム４Ａの右フレーム４ｄと屈曲フレーム４Ｃの左フレーム４ｆを、支持ベース５ｂの下に設けた固定吊部１７に取り付けたため、走行吊部１個分の長さが不要になり、実施例２のレール５ｃはレール５ａに対して短くすることができた。
【００１２】
また、屈曲フレーム４Ｂの右フレーム４ｄを保持する走行吊部６と、下支柱１０と上支柱８を介して屈曲フレーム４Ａの左フレーム４ｆを保持する走行吊部６の間、及び、屈曲フレーム４Ｂの左フレーム４ｆを保持する走行吊部６と、屈曲フレーム４Ｃの右フレーム４ｄを保持する走行吊部６の間を、連結ピンを使用して連結した。
また吊部１７及び走行吊部６に、上支柱８と下支柱１０をそれぞれ取り付けて屈曲フレーム４Ａを下段に取り付けた。固定吊部１７と走行吊部６のフレーム台７との間にも屈曲フレーム４を取り付けることは可能ではあるが、屈曲フレーム４Ａの上段には屈曲フレーム４を取り付けなかった。本実施例は３人家族用の掛け具２であって、屈曲フレーム４Ｂ、４Ｃを大人が使い、屈曲フレーム４Ａを子供が使う構成にしたものである。
実施例２では両端の吊部である固定吊部１７は、共に支持ベース５ｂに取り付けられレール５ｃを走行することはない。また屈曲フレーム４Ａを保持する走行吊部６と屈曲フレーム４Ｂを保持する右側の走行吊部６が連結され、屈曲フレーム４Ｂを保持する左側の走行吊部６と屈曲フレーム４Ｃを保持する走行吊部６が連結されているので、全ての走行吊部６は連結された構成になっている。
このため図６、図７に示したように、屈曲フレーム４Ａが使用状態になっているときに、屈曲フレーム４Ｂを収納状態のまま右側に移動させるだけで、屈曲フレーム４Ｃを使用状態にしつつ屈曲フレーム４Ａを収納状態にすることがでる。このように１つの動作で互いに離れた屈曲フレームの状態を変えることができて便利である。
【産業上の利用可能性】
【００１３】
本発明は家庭で使用することに適しているが、理容サービスや美容サービスなどを行う産業や掛け具を製造販売する産業などで利用される。
【図面の簡単な説明】
【００１４】
【図１】レールの一部を切り欠いた掛け具の平面図である。
【図２】レールの一部を切り欠いた掛け具の正面図である。
【図３】走行吊部付近の部分断面図である。
【図４】図３のＪ−Ｊ視でレールを除いて表した図である。
【図５】走行吊部から屈曲フレームと上支柱を分解した状態を示した図である。
【図６】レールの一部を切り欠いた掛け具の平面図である。
【図７】レールの一部を切り欠いた掛け具の正面図である。
【符号の説明】
【００１５】
１  ：掛け具                ２  ：掛け具                ３  ：屈曲フレーム
３Ａ：屈曲フレーム          ３Ｂ：屈曲フレーム          ３Ｃ：屈曲フレーム
３ｄ：右フレーム            ３ｅ：ピン継手              ３ｆ：左フレーム
３ｇ：基凸部                ３ｈ：基凹部                ３Ｊ：屈曲フレーム
４  ：屈曲フレーム          ４Ａ：屈曲フレーム          ４Ｂ：屈曲フレーム
４Ｃ：屈曲フレーム          ４ｄ：右フレーム            ４ｅ：ピン継手
４ｆ：左フレーム            ５ａ：レール                ５ｂ：支持ベース
５ｃ：レール                ６  ：走行吊部              ７  ：フレーム台
７ａ：横凸部                ７ｂ：横凹部                ７ｃ：下凸部
７ｄ：下凹部                ７ｅ：窪み                  ８  ：上支柱
８ａ：上凸部                ８ｂ：上凹部                ８ｃ：止めネジ
１０  ：下支柱              １０ａ：横凸部              １０ｂ：横凹部
１１  ：台ベース            １２  ：吊下軸              １４  ：固定ナット      １５  ：車輪                １７  ：固定吊部
【図１】
0005087478.tif 000002
【図２】
0005087478.tif 000003
【図３】
0005087478.tif 000004
【図４】
0005087478.tif 000005
【図５】
0005087478.tif 000006
【図６】
0005087478.tif 000007
【図７】
0005087478.tif 000008